(57)【要約】【課題】複数の処理の夫々におけるシャツのセット及び取り外しを行う手間を省き、シャツの首回りを手前側にしてセット及び取り外しが可能なプラテン搬送装置、及びプラテン移動装置を提供する。【解決手段】印刷装置１は、プラテン３Ａを支持する第一プラテン支持部２７Ａ、第一プラテン支持部２７Ａを案内する第一搬送路２２、及び第一搬送路２２の途中に位置する別処理部１５を備える。印刷装置１は、プラテン３Ｂを支持する第二プラテン支持部２７Ｂ、第二プラテン支持部２７Ｂを案内する第二搬送路２４、及び第二搬送路２４の途中に位置する印刷部２１を備える。印刷装置１は、第一プラテン支持部２７Ａ及び第二プラテン支持部２７Ｂの一方に首回り４Ａを前側の位置にして支持されるプラテン３Ａ又はプラテン３Ｂを、他方に首回り４Ａを前側の位置にして移動させる第一プラテン移動部２３Ａ及び第二プラテン移動部２３Ｂを備える。【選択図】図１
2019178008.tif 000002
【特許請求の範囲】
【請求項１】
シャツの首回りを支持する、又は前記シャツの前記首回りの位置を案内する首回り案内部を有するプラテンと、
前記プラテンを支持する第一プラテン支持部と、
前記第一プラテン支持部を第一方向に移動可能に案内する第一搬送路と、
前記第一搬送路の途中に位置し、前記シャツに第一処理を行う第一処理部と、
前記プラテンを支持する第二プラテン支持部と、
前記第二プラテン支持部を前記第一方向に移動可能に案内する第二搬送路と、
前記第二搬送路の途中に位置し、前記シャツに前記第一処理部による前記第一処理とは異なる第二処理を行う第二処理部と、
前記第一プラテン支持部、及び前記第二プラテン支持部の一方に前記首回り案内部を前記第一方向の一方側の位置にして支持される前記プラテンを、他方に前記首回り案内部を前記一方側の位置にして移動させるプラテン移動部と、
を備えることを特徴とするプラテン搬送装置。
【請求項２】
前記プラテン移動部は、複数の前記プラテンを載置し、前記他方に前記首回り案内部を前記一方側の位置にして前記プラテンを順次移動させることを特徴とする請求項１に記載のプラテン搬送装置。
【請求項３】
前記プラテン移動部は、
前記第一プラテン支持部に支持される前記プラテンを、前記第二プラテン支持部に前記首回り案内部を前記一方側の位置にして移動させる第一プラテン移動部を備えることを特徴とする請求項１又は２に記載のプラテン搬送装置。
【請求項４】
前記プラテン移動部は、
前記第二プラテン支持部に支持される前記プラテンを、前記第一プラテン支持部に前記首回り案内部を前記一方側の位置にして移動させる第二プラテン移動部を備えることを特徴とする請求項３に記載のプラテン搬送装置。
【請求項５】
前記第一プラテン移動部及び前記第二プラテン移動部の少なくとも一方は、前記第一方向に水平且つ直交する方向にスライドして前記プラテンを移動させることを特徴とする請求項４に記載のプラテン搬送装置。
【請求項６】
前記第一プラテン移動部及び前記第二プラテン移動部の少なくとも一方は、前記第一方向に水平且つ直交する方向にスライドし、且つ前記第一方向にスライドして前記プラテンを移動させることを特徴とする請求項４に記載のプラテン搬送装置。
【請求項７】
前記第二プラテン移動部は、前記第一処理部及び前記第二処理部より前記第一方向の前記一方側に位置し、
前記シャツのセット位置は、前記第一プラテン支持部及び前記第二プラテン支持部の内で、最初に処理を実行する前記第一処理部又は前記第二処理部が位置する搬送路を移動するプラテン支持部、又は前記第二プラテン移動部に位置することを特徴とする請求項４〜６の何れか一に記載のプラテン搬送装置。
【請求項８】
前記第二プラテン移動部は、前記第一処理部及び前記第二処理部より前記第一方向の前記一方側に位置し、
前記シャツの取り外し位置は、前記第一プラテン支持部及び前記第二プラテン支持部の内で、後に処理を実行する前記第一処理部又は前記第二処理部が位置する搬送路を移動するプラテン支持部、又は前記第二プラテン移動部に位置することを特徴とする請求項４〜７の何れか一に記載のプラテン搬送装置。
【請求項９】
前記第一処理部及び前記第二処理部の少なくとも一方は、前記シャツにインクを吐出して印刷する印刷処理を行う印刷部であることを特徴とする請求項１〜８の何れか一に記載のプラテン搬送装置。
【請求項１０】
前記印刷部は、前記シャツの上に下地を形成する下地インクを吐出する第一吐出部と、前記第一吐出部より下流にカラーインクを吐出する第二吐出部とを備えることを特徴とする請求項９に記載のプラテン搬送装置。
【請求項１１】
前記印刷部より前記第一方向の前記一方側に設けられ、前記印刷部に供給される記録材料及び前記印刷部又は前記印刷部と異なる処理部に供給される機能インクの少なくとも一方を貯留する貯留部を更に備えることを特徴とする請求項９又は１０に記載のプラテン搬送装置。
【請求項１２】
前記第一処理部及び前記第二処理部の処理を、作業者による一度の操作により、連続して実行させる制御部を更に備えることを特徴とする請求項１〜１１の何れか一に記載のプラテン搬送装置。
【請求項１３】
前記第一処理部及び前記第二処理部より前記第一方向の前記一方側に設けられ、前記プラテン搬送装置を操作する操作部を更に備えることを特徴とする請求項１〜１２の何れか一に記載のプラテン搬送装置。
【請求項１４】
シャツの首回りを支持する、又は前記シャツの前記首回りの位置を案内する首回り案内部を有するプラテンと、前記プラテンを支持する第一プラテン支持部と、前記第一プラテン支持部を第一方向に移動可能に案内する第一搬送路と、前記第一搬送路の途中に位置し、前記シャツに第一処理を行う第一処理部と、前記プラテンを支持する第二プラテン支持部と、前記第二プラテン支持部を前記第一方向に移動可能に案内する第二搬送路と、前記第二搬送路の途中に位置し、前記シャツに前記第一処理部による前記第一処理とは異なる第二処理を行う第二処理部とを備えるプラテン搬送装置に取り付け可能なプラテン移動装置であって、
前記第一プラテン支持部、及び前記第二プラテン支持部の一方に前記首回り案内部を前記第一方向の一方側の位置にして支持される前記プラテンを、他方に前記首回り案内部を前記一方側の位置にして移動させるプラテン移動部
を備えることを特徴とするプラテン移動装置。
【請求項１５】
前記プラテン移動部は、
前記第一プラテン支持部及び前記第一プラテン支持部の一方から前記プラテンを受け取り、受け取った前記プラテンを他方に受け渡すための受け渡し部と、
前記受け渡し部を移動可能に支持する支持部と、
を備えることを特徴とする請求項１４に記載のプラテン移動装置。
【発明の詳細な説明】
【技術分野】
【０００１】
本発明は、プラテン搬送装置、及びプラテン移動装置に関する。
【背景技術】
【０００２】
布帛等の記録媒体に印刷処理を施す印刷装置が知られている（例えば、特許文献１参照）。印刷装置は、画像を形成する予定の領域に白インクを吐出した後、カラーインクを吐出して画像を形成する。
【先行技術文献】
【特許文献】
【０００３】
【特許文献１】特開２０１５−１１３５３２号公報
【発明の概要】
【発明が解決しようとする課題】
【０００４】
インクの発色性を高めるために前処理として、例えば、前処理剤が布帛に塗布され、前処理剤が塗布された布帛が加熱処理される場合がある。更に、インクによる画像を形成した後に、インクを布帛に定着させるため加熱処理が後処理として行われる場合がある。後処理として、布帛を洗浄する洗浄処理が行われる場合もある。
【０００５】
一般的に、前処理、印刷処理、及び後処理などの複数の処理は、夫々別々の装置により行われる。例えば、前処理は、前処理装置により行われ、後処理は、後処理装置により行われる。その為、複数の処理において、作業者は、夫々の装置に対し布帛のセット及び取り外しを行う必要がある。布帛がシャツの場合、シャツの首回りを手前側にして夫々の装置にセットしないと、シャツのセット及び取り外しがしづらくなる。
【０００６】
本発明の目的は、複数の処理の夫々におけるシャツのセット及び取り外しを行う手間を省き、シャツの首回りを手前側にしてセット及び取り外しが可能なプラテン搬送装置、及びプラテン移動装置を提供することである。
【０００７】
本発明の第一態様に係るプラテン搬送装置は、シャツの首回りを支持する、又は前記シャツの前記首回りの位置を案内する首回り案内部を有するプラテンと、前記プラテンを支持する第一プラテン支持部と、前記第一プラテン支持部を第一方向に移動可能に案内する第一搬送路と、前記第一搬送路の途中に位置し、前記シャツに第一処理を行う第一処理部と、前記プラテンを支持する第二プラテン支持部と、前記第二プラテン支持部を前記第一方向に移動可能に案内する第二搬送路と、前記第二搬送路の途中に位置し、前記シャツに前記第一処理部による前記第一処理とは異なる第二処理を行う第二処理部と、前記第一プラテン支持部、及び前記第二プラテン支持部の一方に前記首回り案内部を前記第一方向の一方側の位置にして支持される前記プラテンを、他方に前記首回り案内部を前記一方側の位置にして移動させるプラテン移動部と、を備える。
【０００８】
これにより、プラテン搬送装置は、第一処理部、及び第二処理部の夫々におけるシャツのセット及び取り外しを行う手間を省ける。また、シャツの首回りを第一方向の一方側、すなわち、プラテン搬送装置の前側にしてシャツのセット及び取り外しが可能となる。
【０００９】
前記プラテン移動部は、複数の前記プラテンを載置し、前記他方に前記首回り案内部を前記一方側の位置にして前記プラテンを順次移動させても良い。これにより、プラテン搬送装置は、第一処理部及び第二処理部による処理の内で後に実行される処理の終了を待つことなく、最初の処理を連続して実行できる。
【００１０】
前記プラテン移動部は、前記第一プラテン支持部に支持される前記プラテンを、前記第二プラテン支持部に前記首回り案内部を前記一方側の位置にして移動させる第一プラテン移動部を備えても良い。これにより、プラテン搬送装置は、シャツの首回りを第一方向の一方側にした状態で支持されるプラテンを、同じ状態で、第一プラテン支持部から第二プラテン支持部に移動させることができる。
【００１１】
前記プラテン移動部は、前記第二プラテン支持部に支持される前記プラテンを、前記第一プラテン支持部に前記首回り案内部を前記一方側の位置にして移動させる第二プラテン移動部を備えても良い。これにより、プラテン搬送装置は、シャツの首回りを第一方向の一方側にした状態で支持されるプラテンを、同じ状態で、第二プラテン支持部から第一プラテン支持部に移動させることができる。
【００１２】
前記第一プラテン移動部及び前記第二プラテン移動部の少なくとも一方は、前記第一方向に水平且つ直交する方向にスライドして前記プラテンを移動させても良い。プラテンを水平に回転させると弧を描くので、移動スペースが多く必要となる。第一プラテン支持部から第二プラテン支持部、又は第二プラテン支持部から第一プラテン支持部にプラテンを移動する際にプラテンの回転を伴う場合と比較し、プラテンがスライドして移動するので、移動スペースを広くする必要がない。
【００１３】
前記第一プラテン移動部及び前記第二プラテン移動部の少なくとも一方は、前記第一方向に水平且つ直交する方向にスライドし、且つ前記第一方向にスライドして前記プラテンを移動させても良い。例えば、搬送路が短い場合、第一プラテン支持部及び第二プラテン支持部は、第一プラテン移動部又は第二プラテン移動部の経路上に到達するのが困難である。故に、プラテンを移動することが困難である。この場合、プラテン搬送装置は、プラテン移動部が第一方向にスライドすることで、プラテンを移動できる。
【００１４】
前記第二プラテン移動部は、前記第一処理部及び前記第二処理部より前記第一方向の前記一方側に位置し、前記シャツのセット位置は、前記第一プラテン支持部及び前記第二プラテン支持部の内で、最初に処理を実行する前記第一処理部又は前記第二処理部が位置する搬送路を移動するプラテン支持部、又は前記第二プラテン移動部に位置しても良い。これにより、作業者は、プラテン搬送装置の第一方向の一方側においてシャツをセットできる。
【００１５】
前記第二プラテン移動部は、前記第一処理部及び前記第二処理部より前記第一方向の前記一方側に位置し、前記シャツの取り外し位置は、前記第一プラテン支持部及び前記第二プラテン支持部の内で、後に処理を実行する前記第一処理部又は前記第二処理部が位置する搬送路を移動するプラテン支持部、又は前記第二プラテン移動部に位置しても良い。これにより、作業者は、プラテン搬送装置の第一方向の一方側においてシャツを取り外すことができる。
【００１６】
前記第一処理部及び前記第二処理部の少なくとも一方は、前記シャツにインクを吐出して印刷する印刷処理を行う印刷部であっても良い。これにより、プラテン搬送装置は、シャツに印刷処理を行える。
【００１７】
前記印刷部は、前記シャツの上に下地を形成する下地インクを吐出する第一吐出部と、前記第一吐出部より下流にカラーインクを吐出する第二吐出部とを備えても良い。カラーインクを吐出する第二吐出部が、下地を形成する下地インクを吐出する第一吐出部より下流に設けられているので、プラテン搬送装置はプラテンを上流から下流に戻すことなく印刷できる。
【００１８】
前記印刷部より前記第一方向の前記一方側に設けられ、前記印刷部に供給される記録材料及び前記印刷部又は前記印刷部と異なる処理部に供給される機能インクの少なくとも一方を貯留する貯留部を更に備えても良い。これにより、作業者は、記録材料及び機能インクの貯留部への貯留作業を、シャツのセット位置と同じ側で行える。
【００１９】
前記第一処理部及び前記第二処理部の処理を、作業者による一度の操作により、連続して実行させる制御部を更に備えても良い。第一処理部による処理の実行と第二処理部による処理の実行が、作業者による一度の操作で行えるので、作業者の手間が省ける。また、作業者による操作待ちが生じないので、プラテン搬送装置の生産性が向上する。
【００２０】
前記第一処理部及び前記第二処理部より前記第一方向の前記一方側に設けられ、前記プラテン搬送装置を操作する操作部を更に備えても良い。これにより、作業者は、プラテン搬送装置の操作を、シャツのセット位置と同じ側で行える。
【００２１】
本発明の第二態様に係るプラテン移動装置は、シャツの首回りを支持する、又は前記シャツの前記首回りの位置を案内する首回り案内部を有するプラテンと、前記プラテンを支持する第一プラテン支持部と、前記第一プラテン支持部を第一方向に移動可能に案内する第一搬送路と、前記第一搬送路の途中に位置し、前記シャツに第一処理を行う第一処理部と、前記プラテンを支持する第二プラテン支持部と、前記第二プラテン支持部を前記第一方向に移動可能に案内する第二搬送路と、前記第二搬送路の途中に位置し、前記シャツに前記第一処理部による前記第一処理とは異なる第二処理を行う第二処理部とを備えるプラテン搬送装置に取り付け可能なプラテン移動装置であって、前記第一プラテン支持部、及び前記第二プラテン支持部の一方に前記首回り案内部を前記第一方向の一方側の位置にして支持される前記プラテンを、他方に前記首回り案内部を前記一方側の位置にして移動させるプラテン移動部を備える。
【００２２】
これにより、プラテン移動装置は、第一処理部、及び第二処理部の夫々におけるシャツのセット及び取り外しを行う手間を省ける。また、シャツの首回りを第一方向の一方側、すなわち、プラテン搬送装置の前側にしてシャツのセット及び取り外しが可能となる。
【００２３】
前記プラテン移動部は、前記第一プラテン支持部及び前記第二プラテン支持部の一方から前記プラテンを受け取り、受け取った前記プラテンを他方に受け渡すための受け渡し部と、前記受け渡し部を移動可能に支持する支持部と、を備えても良い。受け渡し部は、第一プラテン支持部と第二プラテン支持部との間でプラテンを受け渡しできる。
【図面の簡単な説明】
【００２４】
【図１】印刷装置１の構成例を示す図である。
【図２】（Ａ）は、プラテン３の上面図である。（Ｂ）は、プラテン３Ａの模式的な右側面図である。（Ｃ）は、プラテン３Ｂの模式的な右側面図である。
【図３】（Ａ）は、第一プラテン移動部２３Ａを前方視した模式図である。（Ｂ）は、第二プラテン移動部２３Ｂを後方視した模式図である。
【図４】印刷装置１の概略的な電気的構成を示すブロック図である。
【図５】第一メイン処理のフローチャートの第一部分である。
【図６】第一メイン処理のフローチャートの第二部分である。
【図７】第一メイン処理のフローチャートの第三部分である。
【図８】第二メイン処理のフローチャートの第一部分である。
【図９】第二メイン処理のフローチャートの第二部分である。
【図１０】第二メイン処理のフローチャートの第三部分である。
【図１１】（Ａ）と（Ｂ）は、何れも、印刷装置１の別の構成例を示す図である。
【図１２】（Ａ）と（Ｂ）は、何れも、印刷装置１の更に別の構成例を示す図である。
【発明を実施するための形態】
【００２５】
図面を参照し、本発明の各実施形態を説明する。以下説明は図中に矢印で示す前後、左右を使用する。また、紙面の手前側、奥側を夫々上、下とする。前後方向（搬送方向）は、以下、「第一方向」と言う。
【００２６】
＜第一実施形態＞
図１〜図７を参照し、第一実施形態を説明する。図１に示す様に、第一実施形態における印刷装置１は、別処理部１５及び印刷部２１を一つずつ備えている。第一実施形態における印刷装置１は、処理媒体の一例であるシャツ４に対し別処理部１５による別処理、印刷部２１による印刷処理の順に処理を施す。
【００２７】
＜印刷装置１の概略的な構成＞
図１〜図３を参照し、印刷装置１の概略的な構成を説明する。印刷装置１は、プラテン３Ａ〜３Ｃ、別処理部１５、第一プラテン移動部２３Ａ、印刷部２１、第二プラテン移動部２３Ｂ、操作パネル２５、及び貯留部２６等を備える。
【００２８】
＜プラテン３Ａ〜３Ｃ＞
図２を参照し、プラテン３Ａ〜３Ｃを説明する。プラテン３Ａ〜３Ｃは、図２（Ａ）に示す様に、第一方向に長尺な略長方形の板状である。プラテン３Ａは、第一搬送路２２（図１参照）により案内されるプラテンである。プラテン３Ｂは、第二搬送路２４（図１参照）により案内されるプラテンである。プラテン３Ｃは、第一プラテン移動部２３Ａ（図１参照）又は第二プラテン移動部２３Ｂ（図１参照）により移動されるプラテンである。以下、プラテン３Ａ〜３Ｃは、特に区別する必要が無い時、単に「プラテン３」と言う。
【００２９】
プラテン３は、図２（Ａ）に示す様に、首回り支持部３Ｄ、矢印３Ｅ、及び目印３Ｆの何れかを備える。首回り支持部３Ｄ、矢印３Ｅ及び目印３Ｆは、シャツ４の首回り４Ａを前側にしてシャツ４をプラテン３に載置させる。首回り支持部３Ｄは、シャツ４の首回り４Ａを支持する。すなわち、首回り支持部３Ｄは、シャツ４の首回り４Ａを案内する。首回り支持部３Ｄは、一例として、ハンガー型であり、プラテン３の前側に設けられている。矢印３Ｅは、プラテン３における首回り４Ａの位置を指し示す矢印である。目印３Ｆは、プラテン３における首回り４Ａの位置を示す目印である。矢印３Ｅ及び目印３Ｆは、プラテン３におけるシャツ４の首回り４Ａの位置を案内する。矢印３Ｅは、一例として、プラテン３の上面の中央且つ前側に設けられ、前方を指し示している。目印３Ｆは、プラテン３の上面の中央且つ前側に設けられている。
【００３０】
プラテン３は、図２（Ｂ）に示す様に、軸５を備える。軸５は、プラテン３の下面の略中心から下方に延びている。軸５は、凹部５Ａ、第一被挟持部５Ｂ、及び第二被挟持部５Ｃを有する。凹部５Ａは、軸５の下面に形成されている。第一被挟持部５Ｂは、一例として、軸５の後側の外周上に設けられ、略立方体状を有する。第一被挟持部５Ｂは、第一プラテン移動部２３Ａの後述する第一チャック２３２Ａ，第二チャック２３２Ｂ等により挟持される。第二被挟持部５Ｃは、一例として、軸５の前側の外周上に設けられ、第一被挟持部５Ｂと同様の形状を有する。第二被挟持部５Ｃは、後述するチャック２９Ａ、及び後述するチャック２９Ｂ等により挟持される。プラテン３の上面から第一被挟持部５Ｂ及び第二被挟持部５Ｃの上端までの距離は等しい。また、プラテン３の上面から第一被挟持部５Ｂ及び第二被挟持部５Ｃの下端までの距離は等しい。
【００３１】
＜別処理部１５＞
図１を参照し、別処理部１５を説明する。別処理部１５は、印刷処理とは異なる別処理を行う。別処理は、一例として、カラーインクの発色性を向上させる為の前処理剤の塗布処理、及び前処理剤が塗布されたシャツ４への熱処理等の前処理である。また、別処理は、一例として、シャツ４への画像形成後の熱処理、及びシャツ４の洗浄処理等の後処理である。
【００３２】
別処理部１５は、プラテン３Ａ、第一搬送路２２、及び第一プラテン支持部２７Ａ等を備える。第一搬送路２２は、第一方向に延び、第一プラテン支持部２７Ａを第一方向に移動可能に案内する。第一搬送路２２は、一例として、ガイドレール（図示略）、ベルト（図示略）等を備える。ベルトは、無端ベルトであり、第一搬送路２２の底面における第一方向の両端部に夫々回転可能に支持されているプーリ（図示略）に架装されている。ベルトは、第一搬送モータ５４（図４参照）の回転駆動により、第一プラテン支持部２７Ａをガイドレールに沿って第一方向に移動させる。第一搬送モータ５４は、一例として、ステッピングモータである。
【００３３】
＜第一プラテン支持部２７Ａ＞
図１及び図２を参照し、第一プラテン支持部２７Ａを説明する。第一プラテン支持部２７Ａは、プラテン３Ａを支持する。第一プラテン支持部２７Ａは、孔２８Ａ、第一リフト５６、及びチャック２９Ａ等を備える。孔２８Ａは、第一プラテン支持部２７Ａの上面に設けられ、下方向に延びる。孔２８Ａに、プラテン３Ａの軸５が挿入可能である。第一リフト５６は、孔２８Ａの内部に設けられている。第一リフト５６は、一例として、エアーシリンダである。第一リフト５６は、プラテン３Ａの軸５の凹部５Ａに第一リフト５６の上端部を挿入し、プラテン３Ａを昇降（上下移動）可能に支持する。
【００３４】
チャック２９Ａは、第一プラテン支持部２７Ａの上面の孔２８Ａに挿入されている軸５の第二被挟持部５Ｃを挟持可能な位置に設けられている。つまり、チャック２９Ａは、孔２８Ａに軸５が挿入されている状態において、第二被挟持部５Ｃと対向する位置に設けられている。チャック２９Ａの開閉方向は、一例として、上下方向である。チャック２９Ａは、一例として、後方向を向いて開口する。チャック２９Ａは、少なくとも第一プラテン支持部２７Ａが第一方向に移動されている間、第二被挟持部５Ｃを挟持する。チャック２９Ａが解放状態の時、第一リフト５６により、プラテン３Ａの軸５は、昇降可能となる。第一リフト５６は、プラテン３Ａの軸５を第一プラテン支持部２７Ａから着脱可能な位置まで上昇させるチャック２９Ａが解放状態の時、チャック２９Ａは、第一リフト５６が昇降する際に、第二被挟持部５Ｃと干渉しない状態まで開口する。プラテン３Ａの軸５を第一プラテン支持部２７Ａから着脱可能な位置は、以下、第一所定高さと言う。
【００３５】
＜印刷部２１＞
図１を参照し、印刷部２１を説明する。印刷部２１は、シャツ４に対し印刷データに基づく印刷処理を施す。印刷部２１は、印刷ヘッド（図示略）、キャリッジ（図示略）、ガイドロッド（図示略）等を備える。印刷ヘッドは、第一吐出部５１（図４参照）及び第二吐出部５２（図４参照）を有する。
【００３６】
第一吐出部５１は、下地用の白色インクの液滴を吐出する複数の第二ノズル(図示略)を備える。第二吐出部５２は、カラーインクの液滴を吐出する複数の第一ノズル（図示略）を備える。カラーインクを吐出する第二吐出部５２は、白色インクを吐出する第一吐出部５１より、シャツ４に印刷処理を施す際の搬送方向下流に設けられている。すなわち、第二吐出部５２は、第一吐出部５１より前方に設けられている。印刷ヘッドのノズル面は下方に向いている。キャリッジは、印刷ヘッドを搭載し、ガイドロッドに沿って、主走査方向に案内される。ガイドロッドは、左右方向（主走査方向）に架設されている。
【００３７】
また、印刷部２１は、プラテン３Ｂ、第二搬送路２４、及び第二プラテン支持部２７Ｂ等を備える。第二搬送路２４は、第一方向に延び、第二プラテン支持部２７Ｂを第一方向に移動可能に案内する。第二搬送路２４は、一例として、ガイドレール（図示略）、ベルト（図示略）等を備える。ベルトは、無端ベルトであり、第二搬送路２４の底面における第一方向の両端部に夫々回転可能に支持されているプーリ（図示略）に架装されている。ベルトは、第二搬送モータ５５（図４参照）の回転駆動により、第二プラテン支持部２７Ｂをガイドレールに沿って第一方向に移動させる。第二搬送モータ５５は、一例として、ステッピングモータである。
【００３８】
＜第二プラテン支持部２７Ｂ＞
図１及び図２を参照し、第二プラテン支持部２７Ｂを説明する。第二プラテン支持部２７Ｂは、プラテン３Ｂを支持する。第二プラテン支持部２７Ｂは、孔２８Ｂ、第二リフト５７、及びチャック２９Ｂ等を備える。孔２８Ｂは、第二プラテン支持部２７Ｂの上面に設けられ、下方向に延びる。孔２８Ｂに、プラテン３Ｂの軸５が挿入可能である。第二リフト５７は、孔２８Ｂの内部に設けられている。第二リフト５７は、一例として、エアーシリンダである。第二リフト５７は、プラテン３Ｂの軸５の凹部５Ａに第二リフト５７の上端部を挿入し、プラテン３Ｂを昇降（上下移動）可能に支持する。
【００３９】
チャック２９Ｂは、第二プラテン支持部２７Ｂの上面の孔２８Ｂに挿入されている軸５の第二被挟持部５Ｃを挟持可能な位置に設けられている。つまり、チャック２９Ｂは、孔２８Ｂに軸５が挿入されている状態において、第二被挟持部５Ｃと対向する位置に設けられている。チャック２９Ｂの開閉方向は、一例として、上下方向である。チャック２９Ｂは、一例として、後方向を向いて開口する。チャック２９Ｂは、少なくとも第二プラテン支持部２７Ｂが第一方向に移動されている間、第二被挟持部５Ｃを挟持する。チャック２９Ｂが解放状態の時、第二リフト５７により、プラテン３Ｂの軸５は昇降可能となる。第二リフト５７は、プラテン３Ｂの軸５を第二プラテン支持部２７Ｂから着脱可能な位置まで上昇させる。チャック２９Ｂが解放状態の時、チャック２９Ｂは、第二リフト５７が昇降する際に、第二被挟持部５Ｃと干渉しない状態まで開口する。プラテン３Ｂの軸５を第二プラテン支持部２７Ｂから着脱可能な位置は、以下、第二所定高さと言う。第二所定高さは第一所定高さと等しい。
【００４０】
操作パネル２５、および貯留部２６は、図１に示す様に、印刷装置１の前側、すなわち、後述するセット位置側に設けられている。貯留部２６は、各色のインクを貯留する複数のインクカートリッジを収納する。インクカートリッジに貯留されているカラーインクは、チューブ（図示略）を介して第二吐出部５２に供給される。インクカートリッジに貯留されている白色インクは、チューブを介して、第一吐出部５１に供給される。
【００４１】
＜第一プラテン移動部２３Ａ及び第二プラテン移動部２３Ｂ＞
図１及び図３（Ａ）を参照し、第一プラテン移動部２３Ａを説明する。第一プラテン移動部２３Ａは、第一アーム２３１、支持部２３１Ｂ、及び第一待機ベース８１等を備える。第一アーム２３１は、左右方向に長尺な略長方形の板状である。第一アーム２３１は、図１に示す様に、第一搬送路２２及び第二搬送路２４の後端より後方に位置している。支持部２３１Ｂは、第一アーム２３１の下側に設けられており、第一アーム２３１を左右方向にスライド可能に支持している。第一アーム２３１は、第一アームモータ５８（図４参照）の駆動により、左右方向にスライドする。図３（Ａ）中の一点鎖線の矩形２３１Ａは、第一アーム２３１が右方向にスライドした場合を示している。
【００４２】
第一アーム２３１は、第一チャック２３２Ａ、及び第二チャック２３２Ｂ等を備える。第一チャック２３２Ａは、第一アーム２３１の左端部の上面に設けられている。第一チャック２３２Ａは、第一アーム２３１が第一搬送路２２側（左側）にスライドした時に、第一所定位置に位置する第一プラテン支持部２７Ａにより支持されるプラテン３Ａの第一被挟持部５Ｂを挟持可能な位置に移動する。つまり、第一チャック２３２Ａは、プラテン３Ａの第一被挟持部５Ｂと対向する位置に移動する。また、第一チャック２３２Ａは、第一アーム２３１が第二搬送路２４側（右側）にスライドした時に、第一待機ベース８１の後述する孔８１１に挟持しているプラテン３Ｃの軸５を挿入可能な位置に移動する。第一所定位置は、第一搬送路２２の後端に第一プラテン支持部２７Ａが到達した位置であり、図１に示す位置７２の位置である。
【００４３】
第二チャック２３２Ｂは、第一アーム２３１の右端部の上面に設けられている。第二チャック２３２Ｂは、第一アーム２３１が第二搬送路２４側（右側）にスライドした時に、第二所定位置に位置する第二プラテン支持部２７Ｂの孔２８Ｂに挟持しているプラテン３Ｃの軸５を挿入可能な位置に移動する。また、第二チャック２３２Ｂは、第一アーム２３１が第一搬送路２２側（左側）にスライドした時に、第一待機ベース８１に待機しているプラテン３Ｃの第一被挟持部５Ｂを挟持可能な位置に移動する。つまり、第二チャック２３２Ｂは、プラテン３Ｃの第一被挟持部５Ｂと対向する位置に移動する。第二所定位置は、第二搬送路２４の後端の位置、すなわち、図１に示す位置７４の位置である。
【００４４】
第一待機ベース８１は、プラテン３Ｃを待機させることが可能である。第一待機ベース８１は、孔８１１、第三リフト５９、及び第三チャック２３２Ｃ等を備える。孔８１１は、第一待機ベース８１の上面に設けられている。孔８１１の中心は、第一所定位置に位置する第一プラテン支持部２７Ａの孔２８Ａの中心と第二所定位置に位置する第二プラテン支持部２７Ｂの孔２８Ｂの中心とを結ぶ直線上に位置する。従って、第一チャック２３２Ａは、挟持するプラテン３Ｃの軸５を第一待機ベース８１の孔８１１に挿入可能である。また、第二チャック２３２Ｂは、第一待機ベース８１に待機しているプラテン３Ｃの第一被挟持部５Ｂを挟持可能である。
【００４５】
第三リフト５９は、孔８１１の内部に設けられている。第三リフト５９は、一例として、エアーシリンダである。第三リフト５９は、プラテン３Ｃの軸５の凹部５Ａに第三リフト５９の上端部を挿入し、プラテン３Ｃを昇降（上下移動）可能に支持する。第三チャック２３２Ｃは、軸５が第一待機ベース８１の孔８１１に挿入されているプラテン３Ｃの第二被挟持部５Ｃを挟持可能な位置に設けられている。つまり、第三チャック２３２Ｃは、孔８１１に軸５が挿入されている状態において、プラテン３Ｃの第二被挟持部５Ｃと対向する位置に設けられている。第三チャック２３２Ｃの開閉方向は、一例として、上下方向である。第三チャック２３２Ｃは、一例として、後方向を向いて開口する。第三チャック２３２Ｃが解放状態の時、第三リフト５９により、プラテン３Ｃの軸５は昇降可能となる。第三リフト５９は、第一所定高さまで上昇し、プラテン３Ｃの軸５は第一待機ベース８１の孔８１１から着脱可能となる。第三チャック２３２Ｃが解放状態の時、第三チャック２３２Ｃは、第三リフト５９が昇降する際に、第二被挟持部５Ｃと干渉しない状態まで開口する。
【００４６】
図１及び図３（Ｂ）を参照し、第二プラテン移動部２３Ｂを説明する。第二プラテン移動部２３Ｂは、第二アーム２３３、支持部２３３Ｂ、及び第二待機ベース８２等を備える。第二アーム２３３は、左右方向に長尺な略長方形の板状である。第二アーム２３３は、図１に示す様に、第一搬送路２２及び第二搬送路２４の前端より前方に位置している。支持部２３３Ｂは、第二アーム２３３の下側に設けられており、第二アーム２３３を左右方向にスライド可能に支持している。第二アーム２３３は、第二アームモータ６０（図４参照）の駆動により、左右方向にスライドする。図３（Ｂ）中の一点鎖線の矩形２３３Ａは、第二アーム２３３が左方向にスライドした場合を示している。
【００４７】
第二アーム２３３は、第一チャック２３４Ａ、及び第二チャック２３４Ｂ等を備える。第一チャック２３４Ａは、第二アーム２３３の右端部の上面に設けられている。第一チャック２３４Ａは、第二アーム２３３が第二搬送路２４側（右側）にスライドした時に、第三所定位置に位置する第二プラテン支持部２７Ｂにより支持されるプラテン３Ｂの第二被挟持部５Ｃを挟持可能な位置に移動する。つまり、第一チャック２３４Ａは、プラテン３Ｂの第二被挟持部５Ｃと対向する位置に移動する。また、第一チャック２３４Ａは、第二アーム２３３が第一搬送路２２側（左側）にスライドした時に、第二待機ベース８２の後述する孔８２１に挟持しているプラテン３Ｃの軸５を挿入可能な位置に移動する。第三所定位置は、第二搬送路２４の前端の位置、すなわち、図１に示す位置７５の位置である。
【００４８】
第二チャック２３４Ｂは、第二アーム２３３の左端部の上面に設けられている。第二チャック２３４Ｂは、第二アーム２３３が第一搬送路２２側（左側）にスライドした時に、第一搬送路２２の前端に位置する第一プラテン支持部２７Ａの孔２８Ａに挟持しているプラテン３Ｃの軸５を挿入可能な位置に移動する。また、第二チャック２３４Ｂは、第二アーム２３３が第二搬送路２４側（右側）にスライドした時に、第二待機ベース８２に待機しているプラテン３Ｃの第二被挟持部５Ｃを挟持可能な位置に移動する。つまり、第二チャック２３４Ｂは、プラテン３Ｃの第二被挟持部５Ｃと対向する位置に移動する。
【００４９】
第二待機ベース８２は、プラテン３Ｃを待機させることが可能である。第二待機ベース８２は、孔８２１、第四リフト６１、及び第三チャック２３４Ｃ等を備える。孔８２１は、第二待機ベース８２の上面に設けられている。孔８２１の中心は、第一搬送路２２の前端に位置する第一プラテン支持部２７Ａの孔２８Ａの中心と第三所定位置に位置する第二プラテン支持部２７Ｂの孔２８Ｂの中心とを結ぶ直線上に位置する。従って、第一チャック２３４Ａは、挟持するプラテン３Ｃの軸５を第二待機ベース８２の孔８２１に挿入可能である。また、第二チャック２３４Ｂは、第二待機ベース８２に待機しているプラテン３Ｃの第二被挟持部５Ｃを挟持可能である。
【００５０】
第四リフト６１は、孔８２１の内部に設けられている。第四リフト６１は、一例として、エアーシリンダである。第四リフト６１は、プラテン３Ｃの軸５の凹部５Ａに第四リフト６１の上端部を挿入し、プラテン３Ｃを昇降（上下移動）可能に支持する。第三チャック２３４Ｃは、軸５が第二待機ベース８２の孔８２１に挿入されているプラテン３Ｃの第一被挟持部５Ｂを挟持可能な位置に設けられている。つまり、第三チャック２３４Ｃは、孔８２１に軸５が挿入されている状態において、プラテン３Ｃの第一被挟持部５Ｂと対向する位置に設けられている。第三チャック２３４Ｃの開閉方向は、一例として、上下方向である。第三チャック２３４Ｃは、一例として、前方向を向いて開口する。第三チャック２３４Ｃが解放状態の時、第四リフト６１により、プラテン３Ｃの軸５は昇降可能となる。第四リフト６１は、第一所定高さまで上昇し、プラテン３Ｃの軸５は第二待機ベース８２の孔８２１から着脱可能となる。第三チャック２３４Ｃが解放状態の時、第三チャック２３４Ｃは、第四リフト６１が昇降する際に、第一被挟持部５Ｂと干渉しない状態まで開口する。
【００５１】
＜セット位置及び取り外し位置＞
図１を参照し、セット位置及び取り外し位置を説明する。セット位置は、シャツ４の首回り４Ａを前方にしてシャツ４をプラテン３に載置する位置である。セット位置は、第一搬送路２２の前端に位置しているプラテン３Ａの位置、すなわち、位置７１に位置するプラテン３Ａの位置である。また、セット位置は、位置７１、位置７５、及び位置７６に位置するプラテン３Ｃの位置である。作業者は、印刷装置１の前方に位置し、第二プラテン移動部２３Ｂが支持するプラテン３Ｃにシャツ４を載置できる。シャツ４が載置されたプラテン３Ｃは、順次、第二プラテン移動部２３Ｂにより、第一プラテン支持部２７Ａに受け渡される。
【００５２】
取り外し位置は、首回り４Ａを前方にしてプラテン３に載置されているシャツ４を取り外す位置である。取り外し位置は、第二搬送路２４の前端に位置しているプラテン３Ｂの位置、すなわち、位置７５に位置するプラテン３Ｂの位置である。また、取り外し位置は、位置７１、位置７５、及び位置７６に位置するプラテン３Ｃの位置である。すなわち、作業者は、印刷装置１の前方に位置し、第二プラテン移動部２３Ｂが支持するプラテン３Ｃからシャツ４を取り外すことができる。
【００５３】
＜印刷装置１の電気的構成＞
図４を参照し、印刷装置１の電気的構成を説明する。印刷装置１は、ＣＰＵ(Central Processing Unit)１１、ＲＯＭ(Read Only Memory)１２、ＲＡＭ(Random Access Memory)１３、記憶装置１４、別処理部１５、操作パネル２５、入出力部１８、通信部１９、及び駆動回路３１〜４１等を備え、バスを介して互いに接続されている。ＣＰＵ１１は、印刷装置１を制御し、ＲＯＭ１２から各種のプログラムを読み出し、ＲＡＭ１３をワーキングメモリとして使用し、各種の処理を実行する。例えば、ＣＰＵ１１は、第一メイン処理プログラムをＲＯＭ１２から読み出して、後述する第一メイン処理を実行する。
【００５４】
記憶装置１４は、フラッシュメモリ、ＨＤＤ(Hard Disc Drive)等の不揮発性の記憶装置である。記憶装置１４は、各種のパラメータ等を記憶している。記憶装置１４は、第一プラテン支持部２７Ａが第一所定位置に到達した際の第一搬送モータ５４のステップ数を記憶する。記憶装置１４は、第二プラテン支持部２７Ｂが第二所定位置及び第三所定位置に到達した際の第二搬送モータ５５のステップ数を夫々記憶する。記憶装置１４は、第一搬送モータ５４のステップ数とプラテン３Ａの各Ｙ座標における別処理開始位置とを対応付けた第一対応情報を記憶している。記憶装置１４は、第二搬送モータ５５のステップ数とプラテン３Ｂの各Ｙ座標における印刷処理開始位置とを対応付けた第二対応情報を記憶している。プラテン３Ａ及びプラテン３ＢのＹ軸は第一方向と平行である。つまり、プラテン３Ａ及びプラテン３ＢのＹ軸は、プラテン３Ａ及びプラテン３Ｂの長尺方向と平行である。プラテン３Ａ及びプラテン３ＢのＸ軸は、左右方向と平行である。つまり、プラテン３Ａ及びプラテン３ＢのＸ軸は、プラテン３Ａ及びプラテン３Ｂの短尺方向と平行である。
【００５５】
操作パネル２５は、操作部１６、及び表示部１７等を備える。操作部１６、例えば、ボタン等を備えている。従って、操作部１６を介して、作業者の所望の指示がＣＰＵ１１に入力される。表示部１７は、周知のディスプレイ装置等で構成される。表示部１７は、タッチパネル（図示略）を備え、操作部１６として機能しても良い。
【００５６】
入出力部１８は、ＳＤメモリカードスロット、及びＵＳＢポートや他の規格のシリアルポート等を備えている。通信部１９は、無線モジュール（図示略）と有線モジュール（図示略）の内の少なくとも一方を有し、端末装置（図示略）等の外部装置とネットワークを介して相互に通信可能である。印刷装置１は、通信部１９に代えて、ＵＳＢポートに接続可能な無線モジュールにより、外部装置とネットワークを介して接続されても良い。
【００５７】
駆動回路３１は、第一吐出部５１に接続しており、ＣＰＵ１１の制御の下、第一吐出部５１の各第一ノズル（図示略）から、例えば、白色インクの液滴を吐出する。駆動回路３２は、第二吐出部５２に接続しており、ＣＰＵ１１の制御の下、第二吐出部５２の各第二ノズル（図示略）から、例えば、カラーインクの液滴を吐出する。駆動回路３３は、キャリッジモータ５３に接続しており、ＣＰＵ１１の制御の下、キャリッジモータ５３を駆動する。駆動回路３１〜３３、第一吐出部５１、第二吐出部５２、及びキャリッジモータ５３は、印刷部２１に備えられている。
【００５８】
駆動回路３４は、第一搬送モータ５４に接続しており、ＣＰＵ１１の制御の下、第一搬送モータ５４を駆動する。駆動回路３５は、第二搬送モータ５５に接続しており、ＣＰＵ１１の制御の下、第二搬送モータ５５を駆動する。駆動回路３６は、第一リフト５６に接続しており、ＣＰＵ１１の制御の下、第一リフト５６を昇降する。駆動回路３７は、第二リフト５７に接続しており、ＣＰＵ１１の制御の下、第二リフト５７を昇降する。
【００５９】
駆動回路３８は、第一アームモータ５８に接続しており、ＣＰＵ１１の制御の下、第一アームモータ５８を駆動する。駆動回路３９は、第三リフト５９に接続しており、ＣＰＵ１１の制御の下、第三リフト５９を昇降する。駆動回路３８，３９、第一アームモータ５８、及び第三リフト５９は、第一プラテン移動部２３Ａに備えられている。駆動回路４０は、第二アームモータ６０に接続しており、ＣＰＵ１１の制御の下、第二アームモータ６０を駆動する。駆動回路４１は、第四リフト６１に接続しており、ＣＰＵ１１の制御の下、第四リフト６１を昇降する。駆動回路４０，４１、第二アームモータ６０、及び第四リフト６１は、第二プラテン移動部２３Ｂに備えられている。
【００６０】
＜第一メイン処理＞
図１及び図５〜図７を参照し、第一メイン処理の流れを説明する。ＣＰＵ１１は、ＲＯＭ１２から第一メイン処理プログラムを読み出して、ＲＡＭ１３をワーキングメモリとして使用し、第一メイン処理を実行する。第一メイン処理は、例えば、印刷装置１の電源がＯＮされたことをトリガとして開始される。本印刷装置１おいては、第一メイン処理に従って、複数のプラテン３が移動され、プラテン３に載置されているシャツ４に対し別処理等の処理が施される。ここでの説明では、一つのプラテン３に着目して、第一メイン処理の流れを説明する。着目するプラテン３は、首回り４Ａを前方にしてシャツ４を載置し、図１に示す位置７１に位置するプラテン３Ａである。
【００６１】
ＣＰＵ１１は、処理開始の指示が有るか判定する（Ｓ１）。例えば、作業者により、操作パネル２５の操作部１６が操作され、処理開始の指示がＣＰＵ１１に入力される。ＣＰＵ１１は、処理開始の指示が入力されたか判定することにより、処理開始の指示が有るか判定する。ＣＰＵ１１は、処理開始の指示が無いと判定した場合には（Ｓ１：ＮＯ）、Ｓ１の処理を繰り返す。ＣＰＵ１１は、処理開始の指示が有ると判定した場合には（Ｓ１：ＹＥＳ）、位置７１から後方にプラテン３Ａの搬送を開始する（Ｓ３）。
【００６２】
ＣＰＵ１１は、プラテン３Ａが別処理開始位置に到達したか判定する（Ｓ５）。具体的には、ＣＰＵ１１は、記憶装置１４が記憶する第一対応情報に基づき、プラテン３Ａが別処理開始位置に到達したか判定する。ＣＰＵ１１は、別処理開始位置に到達していないと判定した場合には（Ｓ５：ＮＯ）、Ｓ５の処理を繰り返す。ＣＰＵ１１は、別処理開始位置に到達したと判定した場合には（Ｓ５：ＹＥＳ）、ＣＰＵ１１は、別処理部１５を制御して、シャツ４に対し別処理を実行させる（Ｓ７）。
【００６３】
ＣＰＵ１１は、第一プラテン支持部２７Ａが第一所定位置に到達したか判定する（Ｓ９）。具体的には、ＣＰＵ１１は、記憶装置１４が記憶する第一プラテン支持部２７Ａが第一所定位置に到達した際の第一搬送モータ５４のステップ数を参照し、第一プラテン支持部２７Ａが第一所定位置に到達したか判定する。第一所定位置は、第一プラテン移動部２３Ａにプラテン３Ａを受け渡す位置である。この時、プラテン３Ａの首回り支持部３Ｄはプラテン３Ａの前方に位置する。
【００６４】
ＣＰＵ１１は、第一所定位置に到達していないと判定した場合には（Ｓ９：ＮＯ）、Ｓ９の処理を繰り返す。ＣＰＵ１１は、第一所定位置に到達したと判定した場合には（Ｓ９：ＹＥＳ）、つまり、プラテン３Ａが図１に示す位置７２に位置している場合、プラテン３Ａに対するチャック２９Ａを解放状態にさせる（Ｓ１１）。ＣＰＵ１１は、駆動回路３６を制御し、第一リフト５６を第一所定高さに上昇させる（Ｓ１３）。
【００６５】
ＣＰＵ１１は、第一プラテン移動部２３Ａの第一チャック２３２Ａを解放状態にさせ、駆動回路３８を制御し、第一アーム２３１を第一搬送路２２側にスライドさせる（Ｓ１５）。この際、第一プラテン移動部２３Ａの第二チャック２３２Ｂが挟持するプラテン３Ｃを第二プラテン支持部２７Ｂに受け渡しをしている最中である場合には、ＣＰＵ１１は、受け渡しが完了した後に、第一アーム２３１をスライドさせる。この時、ＣＰＵ１１は、第一プラテン移動部２３Ａの第一チャック２３２Ａ及び第二チャック２３２Ｂを解放状態にさせ、第一アーム２３１をスライドさせる。
【００６６】
また、第一プラテン移動部２３Ａの第二チャック２３２Ｂがプラテン３Ｃを挟持し、第一待機ベース８１に他のプラテン３Ｃが待機している場合には、ＣＰＵ１１は、第二チャック２３２Ｂが挟持するプラテン３Ｃを受け渡した後に、第一アーム２３１をスライドさせる。この時、ＣＰＵ１１は、第一プラテン移動部２３Ａの第一チャック２３２Ａ及び第二チャック２３２Ｂを解放状態にさせ、第一アーム２３１をスライドさせる。
【００６７】
ＣＰＵ１１は、第一プラテン移動部２３Ａの第一チャック２３２Ａによりプラテン３Ａの第一被挟持部５Ｂを挟持させる（Ｓ１７）。ＣＰＵ１１は、駆動回路３６を制御し、第一リフト５６を降下させる（Ｓ１９）。ＣＰＵ１１は、駆動回路３４を制御し、第一プラテン支持部２７Ａを第一搬送路２２の前端、すなわち、図１に示す位置７１に移動させる（Ｓ２１）。
【００６８】
ＣＰＵ１１は、第一待機ベース８１に待機しているプラテン３Ｃが有るか判定する（Ｓ２３）。ＣＰＵ１１は、待機しているプラテン３Ｃが有ると判定した場合には（Ｓ２３：ＹＥＳ）、第三チャック２３２Ｃを解放状態にさせ、駆動回路３９を制御し、第三リフト５９を第一所定高さに上昇させる（Ｓ２５）。ＣＰＵ１１は、第二チャック２３２Ｂにより待機中のプラテン３Ｃの第一被挟持部５Ｂを挟持させる（Ｓ２７）。この時、第二チャック２３２Ｂは、第一アーム２３１を第一搬送路２２側にスライドさせているので、図１に示す位置７３に位置している。ＣＰＵ１１は、駆動回路３９を制御し、第三リフト５９を降下させる（Ｓ２９）。ＣＰＵ１１は、Ｓ５１の処理に進む。
【００６９】
ＣＰＵ１１は、待機しているプラテン３Ｃが無いと判定した場合には（Ｓ２３：ＮＯ）、駆動回路３８を制御し、第一アーム２３１を第二搬送路２４側にスライドさせる（Ｓ３１）。この時、第一チャック２３２Ａに挟持されているプラテン３Ｃは、図１に示す位置７３に位置している。プラテン３Ｃの首回り支持部３Ｄはプラテン３Ｃの前方に位置する。ＣＰＵ１１は、駆動回路３９を制御し、第三リフト５９を第一所定高さに上昇させる（Ｓ３３）。ＣＰＵ１１は、第一プラテン移動部２３Ａの第一チャック２３２Ａを解放させる（Ｓ３５）。ＣＰＵ１１は、駆動回路３９を制御し、第三リフト５９を降下させる（Ｓ３７）。
【００７０】
ＣＰＵ１１は、第三チャック２３２Ｃにより第二被挟持部５Ｃを挟持させる（Ｓ３９）。ＣＰＵ１１は、第一プラテン移動部２３Ａの第一チャック２３２Ａ及び第二チャック２３２Ｂを解放状態にさせ、駆動回路３４を制御し、第一アーム２３１を第一搬送路２２側にスライドさせる（Ｓ４１）。この時、第二チャック２３２Ｂは、図１に示す位置７３に位置している。ＣＰＵ１１は、第三チャック２３２Ｃを解放させる（Ｓ４３）。ＣＰＵ１１は、駆動回路３９を制御し、第三リフト５９を第一所定高さに上昇させる（Ｓ４５）。ＣＰＵ１１は、第一プラテン移動部２３Ａの第二チャック２３２Ｂにより待機中のプラテン３Ｃの第一被挟持部５Ｂを挟持させる（Ｓ４７）。ＣＰＵ１１は、駆動回路３９を制御し、第三リフト５９を降下させる（Ｓ４９）
【００７１】
ＣＰＵ１１は、駆動回路３８を制御し、第一アーム２３１を第二搬送路２４側にスライドさせる（Ｓ５１）。この時、第二チャック２３２Ｂにより挟持されているプラテン３Ｃは、図１に示す位置７４に位置している。プラテン３Ｃの首回り支持部３Ｄはプラテン３Ｃの前方に位置する。ＣＰＵ１１は、第二プラテン支持部２７Ｂが第二所定位置に到着しているか判定する（Ｓ５３）。記憶装置１４は、第二プラテン支持部２７Ｂが第二所定位置に到達した際の第二搬送モータ５５のステップ数を記憶する。ＣＰＵ１１は、記憶装置１４が記憶しているステップ数を参照し、第二プラテン支持部２７Ｂが第二所定位置に到着しているか判定する。
【００７２】
ＣＰＵ１１は、第二所定位置に到着していないと判定した場合には（Ｓ５３：ＮＯ）、Ｓ５３の処理を繰り返す。ＣＰＵ１１は、第二所定位置に到着していると判定した場合には（Ｓ５３：ＹＥＳ）、チャック２９Ｂを解放状態にさせ、駆動回路３７を制御し、第二プラテン支持部２７Ｂの第二リフト５７を第二所定高さに上昇させる（Ｓ５５）。ＣＰＵ１１は、第二チャック２３２Ｂを解放させる（Ｓ５７）。ＣＰＵ１１は、駆動回路３７を制御し、第二リフト５７を降下させる（Ｓ５９）。
【００７３】
ＣＰＵ１１は、第二プラテン支持部２７Ｂのチャック２９Ｂにより、プラテン３Ｂの第二被挟持部５Ｃを挟持させる（Ｓ６１）。ＣＰＵ１１は、駆動回路３５を制御し、プラテン３Ｂの搬送を開始させる（Ｓ６３）。ＣＰＵ１１は、プラテン３Ｂが印刷開始位置に到達したか判定する（Ｓ６５）。具体的には、ＣＰＵ１１は、記憶装置１４が記憶している第二対応情報に基づき、プラテン３Ｂが印刷開始位置に到着したか判定する。ＣＰＵ１１は、印刷開始位置に到達していないと判定した場合には（Ｓ６５：ＮＯ）、Ｓ６５の処理を繰り返す。
【００７４】
ＣＰＵ１１は、印刷開始位置に到達したと判定した場合には（Ｓ６５：ＹＥＳ）、駆動回路３１〜３３，３５を制御し、プラテン３Ｂに載置されているシャツ４に対し印刷処理を実行させる（Ｓ６７）。ＣＰＵ１１は、第二プラテン支持部２７Ｂが第三所定位置に到達したか判定する（Ｓ６９）。記憶装置１４は、第二プラテン支持部２７Ｂが第三所定位置に到達した際の第二搬送モータ５５のステップ数を記憶する。ＣＰＵ１１は、記憶装置１４が記憶しているステップ数を参照し、第二プラテン支持部２７Ｂが第三所定位置に到着しているか判定する。
【００７５】
ＣＰＵ１１は、第三所定位置に到達していないと判定した場合には（Ｓ６９：ＮＯ）、Ｓ６９の処理を繰り返す。ＣＰＵ１１は、第三所定位置に到達したと判定した場合には（Ｓ６９：ＹＥＳ）、すなわち、プラテン３Ｂが図１に示す位置７５に位置している場合、プラテン３Ｂの第二被挟持部５Ｃに対するチャック２９Ｂを解放状態にさせる（Ｓ７１）。この時、プラテン３Ｂの首回り支持部３Ｄはプラテン３Ｂの前方に位置する。ＣＰＵ１１は、駆動回路３７を制御し、第二リフト５７を第二所定高さに上昇させる（Ｓ７３）。ＣＰＵ１１は、第二プラテン移動部２３Ｂの第一チャック２３４Ａ及び第二チャック２３４Ｂを解放状態にさせ、駆動回路４０を制御し、第二アーム２３３を第二搬送路２４側にスライドさせる（Ｓ７５）。この際、第二プラテン移動部２３Ｂの第二チャック２３４Ｂが挟持するプラテン３Ｃを第一プラテン支持部２７Ａに受け渡しをしている最中である場合には、ＣＰＵ１１は、受け渡しが完了した後に、第二アーム２３３をスライドさせる。この時、ＣＰＵ１１は、第二プラテン移動部２３Ｂの第一チャック２３４Ａ及び第二チャック２３４Ｂを解放状態にさせ、第二アーム２３３をスライドさせる。
【００７６】
また、第二プラテン移動部２３Ｂの第二チャック２３４Ｂがプラテン３Ｃを挟持し、第二待機ベース８２に他のプラテン３Ｃが待機している場合には、ＣＰＵ１１は、第二チャック２３４Ｂが挟持するプラテン３Ｃを受け渡した後に、第二アーム２３３をスライドさせる。この時、ＣＰＵ１１は、第二プラテン移動部２３Ｂの第一チャック２３４Ａ及び第二チャック２３４Ｂを解放状態にさせ、第二アーム２３３をスライドさせる。
【００７７】
ＣＰＵ１１は、第二プラテン移動部２３Ｂの第一チャック２３４Ａにより、プラテン３Ｂの第二被挟持部５Ｃを挟持させる（Ｓ７７）。ＣＰＵ１１は、駆動回路３７を制御し、第二リフト５７を降下させる（Ｓ７９）。ＣＰＵ１１は、駆動回路３５を制御し、第二プラテン支持部２７Ｂを第二所定位置に移動させる（Ｓ８１）。
【００７８】
ＣＰＵ１１は、第二待機ベース８２に待機しているプラテン３Ｃが有るか判定する（Ｓ８３）。ＣＰＵ１１は、待機しているプラテン３Ｃが有ると判定した場合には（Ｓ８３：ＹＥＳ）、第三チャック２３４Ｃを解放状態にさせ、駆動回路４１を制御し、第四リフト６１を第一所定高さに上昇させる（Ｓ８５）。ＣＰＵ１１は、第二チャック２３４Ｂにより待機中のプラテン３Ｃの第二被挟持部５Ｃを挟持させる（Ｓ８７）。この時、第二チャック２３４Ｂは、第二アーム２３３を第二搬送路２４側にスライドさせているので、図１に示す７６に位置している。ＣＰＵ１１は、駆動回路４１を制御し、第四リフト６１を降下させる（Ｓ８９）。ＣＰＵ１１は、Ｓ１１１の処理に進む。
【００７９】
ＣＰＵ１１は、待機しているプラテン３Ｃが無いと判定した場合には（Ｓ８３：ＮＯ）、駆動回路４０を制御し、第二アーム２３３を第一搬送路２２側にスライドさせる（Ｓ９１）。この時、第一チャック２３４Ａは、図１に示す位置７６に位置している。この時、プラテン３Ｃの首回り支持部３Ｄはプラテン３Ｃの前方に位置する。ＣＰＵ１１は、駆動回路４１を制御し、第四リフト６１を第一所定高さに上昇させる（Ｓ９３）。ＣＰＵ１１は、第二プラテン移動部２３Ｂの第一チャック２３４Ａを解放させる（Ｓ９５）。ＣＰＵ１１は、駆動回路４１を制御し、第四リフト６１を降下させる（Ｓ９７）。
【００８０】
ＣＰＵ１１は、第三チャック２３４Ｃにより第一被挟持部５Ｂを挟持させる（Ｓ９９）。ＣＰＵ１１は、駆動回路４０を制御し、第二アーム２３３を第二搬送路２４側にスライドさせる（Ｓ１０１）。この時、第二チャック２３４Ｂは、図１に示す位置７６に位置している。ＣＰＵ１１は、第三チャック２３４Ｃを解放させる（Ｓ１０３）。ＣＰＵ１１は、駆動回路４１を制御し、第四リフト６１を第一所定高さに上昇させる（Ｓ１０５）。ＣＰＵ１１は、第二プラテン移動部２３Ｂの第二チャック２３４Ｂにより待機中のプラテン３Ｃの第二被挟持部５Ｃを挟持させる（Ｓ１０７）。ＣＰＵ１１は、駆動回路４１を制御し、第四リフト６１を降下させる（Ｓ１０９）。
【００８１】
ＣＰＵ１１は、駆動回路４０を制御し、第二アーム２３３を第一搬送路２２側にスライドさせる（Ｓ１１１）。この時、第二チャック２３４Ｂは、図１に示す位置７１に位置している。この時、プラテン３Ｃの首回り支持部３Ｄはプラテン３Ｃの前方に位置する。ＣＰＵ１１は、第一プラテン支持部２７Ａが第一搬送路２２の前端に到着しているか判定する（Ｓ１１３）。ＣＰＵ１１は、第一搬送路２２の前端に到着していないと判定した場合には（Ｓ１１３：ＮＯ）、Ｓ１１３の処理を繰り返す。ＣＰＵ１１は、第一搬送路２２の前端に到着していると判定した場合には（Ｓ１１３：ＹＥＳ）、チャック２９Ａを解放状態にさせ、駆動回路３６を制御し、第一プラテン支持部２７Ａの第一リフト５６を第一所定高さに上昇させる（Ｓ１１５）。ＣＰＵ１１は、第二チャック２３４Ｂを解放させる（Ｓ１１７）。ＣＰＵ１１は、駆動回路３６を制御し、第一リフト５６を降下させる（Ｓ１１９）。
【００８２】
ＣＰＵ１１は、第一プラテン支持部２７Ａのチャック２９Ａにより、プラテン３Ａの第二被挟持部５Ｃを挟持させる（Ｓ１２１）。ＣＰＵ１１は、Ｓ１の処理に戻る。
【００８３】
＜第一実施形態の主な作用及び効果＞
上記第一実施形態によれば、印刷装置１は、シャツ４の首回り４Ａを支持する首回り支持部３Ｄ、又はシャツ４の首回り４Ａの位置を案内する矢印３Ｅ又は目印３Ｆを有するプラテン３を備える。印刷装置１は、プラテン３を支持する第一プラテン支持部２７Ａ、第一プラテン支持部２７Ａを第一方向に移動可能に案内する第一搬送路２２、及び第一搬送路２２の途中に位置し、シャツ４に別処理を行う別処理部１５を備える。印刷装置１は、プラテン３を支持する第二プラテン支持部２７Ｂ、第二プラテン支持部２７Ｂを第一方向に移動可能に案内する第二搬送路２４、及び第二搬送路２４の途中に位置し、シャツ４に印刷処理を行う印刷部２１を備える。印刷装置１は、第一プラテン支持部２７Ａ、及び第二プラテン支持部２７Ｂの一方に首回り４Ａを第一方向の一方側（前側）の位置にして支持されるプラテン３を、他方に首回り４Ａを第一方向の一方側の位置にして移動させる第一プラテン移動部２３Ａ及び第二プラテン移動部２３Ｂを備える。
【００８４】
これにより、印刷装置１は、別処理部１５、及び印刷部２１の夫々におけるシャツ４のセット及び取り外しを行う手間を省ける。また、シャツ４の首回り４Ａを第一方向の一方側、すなわち、印刷装置１の前側にしてシャツ４のセット及び取り外しが可能となる。
【００８５】
上記第一実施形態によれば、第一プラテン移動部２３Ａ及び第二プラテン移動部２３Ｂは、複数のプラテン３を載置する。第一プラテン移動部２３Ａ及び第二プラテン移動部２３Ｂは、第一プラテン支持部２７Ａと第二プラテン支持部２７Ｂとの間を、首回り４Ａを第一方向の一方側の位置にしてプラテン３を順次移動させる。これにより、印刷装置１は、印刷処理の終了を待つことなく、別処理を連続して実行できる。
【００８６】
上記第一実施形態によれば、印刷装置１は、第一プラテン支持部２７Ａに支持されるプラテン３Ａを、第二プラテン支持部２７Ｂに首回り４Ａを第一方向の一方側の位置にして移動させる第一プラテン移動部２３Ａを備える。これにより、印刷装置１は、シャツ４の首回り４Ａを第一方向の一方側にした状態で支持されるプラテン３を、同じ状態で、第一プラテン支持部２７Ａから第二プラテン支持部２７Ｂに移動させることができる。
【００８７】
上記第一実施形態によれば、印刷装置１は、第二プラテン支持部２７Ｂに支持されるプラテン３Ｂを、第一プラテン支持部２７Ａに首回り４Ａを第一方向の一方側の位置にして移動させる第二プラテン移動部２３Ｂを備える。これにより、印刷装置１は、シャツ４の首回り４Ａを第一方向の一方側にした状態で支持されるプラテン３を、同じ状態で、第二プラテン支持部２７Ｂから第一プラテン支持部２７Ａに移動させることができる。
【００８８】
上記第一実施形態によれば、第一プラテン移動部２３Ａ及び第二プラテン移動部２３Ｂの少なくとも一方は、第一方向に水平且つ直交する方向（左右方向）にスライドしてプラテン３を移動させる。プラテン３を水平に回転させると弧を描くので、移動スペースが多く必要となる。第一プラテン支持部２７Ａから第二プラテン支持部２７Ｂ、又は第二プラテン支持部２７Ｂから第一プラテン支持部２７Ａにプラテン３を移動する際にプラテン３の回転を伴う場合と比較し、プラテン３がスライドして移動するので、移動スペースを広くする必要がない。
【００８９】
上記第一実施形態によれば、第二プラテン移動部２３Ｂは、第一方向の一方側（前側）に位置する。シャツ４のセット位置は、最初に処理を実行する別処理部１５が位置する第一搬送路２２を移動する第一プラテン支持部２７Ａ、又は第二プラテン移動部２３Ｂに位置する。これにより、作業者は、印刷装置１の第一方向の一方側（前側）においてシャツ４をセットできる。
【００９０】
上記第一実施形態によれば、第二プラテン移動部２３Ｂは、第一方向の一方側（前側）に位置する。シャツ４の取り外し位置は、後に処理を実行する印刷部２１が位置する第二搬送路２４を移動する第二プラテン支持部２７Ｂ、又は第二プラテン移動部２３Ｂに位置する。これにより、作業者は、印刷装置１の第一方向の一方側（前側）においてシャツ４を取り外すことができる。
【００９１】
上記第一実施形態によれば、印刷装置１は、シャツ４にインクを吐出して印刷する印刷部２１を備える。これにより、印刷装置１は、シャツ４に印刷処理を行える。
【００９２】
上記第一実施形態によれば、印刷部２１は、シャツ４の上に下地用の白色インクを吐出する第一吐出部５１、及び第一吐出部５１より下流にカラーインクを吐出する第二吐出部５２を備える。カラーインクを吐出する第二吐出部５２が、下地用の白色インクを吐出する第一吐出部５１より下流に設けられているので、印刷装置１はプラテン３を上流から下流に戻すことなく印刷できる。
【００９３】
上記第一実施形態によれば、印刷部２１に供給されるインクを貯留する貯留部２６は、別処理部１５及び印刷部２１より第一方向の一方側（前側）に設けられている。これにより、作業者は、インクの貯留部２６への貯留作業を、シャツ４のセット位置と同じ側で行える。
【００９４】
上記第一実施形態によれば、印刷装置１は、別処理部１５及び印刷部２１の処理を、作業者による一度の操作により、連続して実行させるＣＰＵ１１を備える。別処理部１５による処理の実行と印刷部２１による処理の実行が、作業者による一度の操作で行えるので、作業者の手間が省ける。また、作業者による操作待ちが生じないので、印刷装置１の生産性が向上する。
【００９５】
上記第一実施形態によれば、印刷装置１を操作する操作部１６は、別処理部１５及び印刷部２１より第一方向の一方側（前側）に設けられている。これにより、作業者は、印刷装置１の操作を、シャツ４のセット位置と同じ側で行える。
【００９６】
上記第一実施形態によれば、第一プラテン移動部２３Ａは、第一アーム２３１を移動し、第一プラテン支持部２７Ａに支持されるプラテン３Ａを、第二プラテン支持部２７Ｂに首回り４Ａを第一方向の一方側（前側）の位置にして移動する。同様に、第二プラテン移動部２３Ｂは、第二アーム２３３を移動し、第二プラテン支持部２７Ｂに支持されるプラテン３Ｂを、第一プラテン支持部２７Ａに首回り４Ａを第一方向の一方側（前側）の位置にして移動する。
【００９７】
これにより、第一プラテン移動部２３Ａ又は第二プラテン移動部２３Ｂは、別処理部１５及び印刷部２１の夫々におけるシャツ４のセット及び取り外しを行う手間を省ける。また、シャツ４の首回り４Ａを第一方向の一方側、すなわち、印刷装置１の前側にしてシャツ４のセット及び取り外しが可能となる。
【００９８】
上記第一実施形態によれば、第一プラテン移動部２３Ａは、第一プラテン支持部２７Ａからプラテン３を受け取り、受け取ったプラテン３を第二プラテン支持部２７Ｂに受け渡すための第一アーム２３１を備える。第一プラテン移動部２３Ａは、第一アーム２３１を移動可能に支持する支持部２３１Ｂを備える。同様に、第二プラテン移動部２３Ｂは、第二プラテン支持部２７Ｂからプラテン３を受け取り、受け取ったプラテン３を第一プラテン支持部２７Ａに受け渡すための第二アーム２３３を備える。第二プラテン移動部２３Ｂは、第二アーム２３３を移動可能に支持する支持部２３３Ｂを備える。第一アーム２３１及び第二アーム２３３は、第一プラテン支持部２７Ａと第二プラテン支持部２７Ｂとの間でプラテン３を受け渡しできる。
【００９９】
＜第二実施形態＞
第一実施形態では、第一プラテン支持部２７Ａ及び第二プラテン支持部２７Ｂが夫々リフトを備えている。第二実施形態では、第一プラテン移動部２３Ａの支持部２３１Ｂ及び第二プラテン移動部２３Ｂの支持部２３３Ｂが夫々リフトを備えている。
【０１００】
印刷装置１の概略的な電気的構成は、第一実施形態と同じであるので、説明は省略する。第二実施形態においては、第一プラテン移動部２３Ａの支持部２３１Ｂが備えるリフトを第一リフト５６とし、第二プラテン移動部２３Ｂの支持部２３３Ｂが備えるリフトを第二リフト５７とする。
【０１０１】
＜第二メイン処理＞
図１及び図８〜図１０を参照し、第二メイン処理の流れを説明する。第二メイン処理は、プラテン３Ａを第一プラテン支持部２７Ａから第一プラテン移動部２３Ａに移動する際、及びプラテン３Ｃを第一プラテン移動部２３Ａから第二プラテン支持部２７Ｂに移動する際に、第一プラテン移動部２３Ａの第一リフト５６が昇降する点で、第一メイン処理と異なる。また、第二メイン処理は、プラテン３Ｂを第二プラテン支持部２７Ｂから第二プラテン移動部２３Ｂに移動する際、及びプラテン３Ｃを第二プラテン移動部２３Ｂから第一プラテン支持部２７Ａに移動する際に、第二プラテン移動部２３Ｂの第二リフト５７が昇降する点で、第一メイン処理と異なる。
【０１０２】
ＣＰＵ１１は、ＲＯＭ１２から第二メイン処理プログラムを読み出して、ＲＡＭ１３をワーキングメモリとして使用し、第二メイン処理を実行する。第二メイン処理は、例えば、印刷装置１の電源がＯＮされたことをトリガとして開始される。本印刷装置１おいては、第二メイン処理に従って、複数のプラテン３が移動され、プラテン３に載置されているシャツ４に対し別処理等の処理が施される。ここでの説明では、一つのプラテン３に着目して、第二メイン処理の流れを説明する。着目するプラテン３は、首回り４Ａを前方にしてシャツ４を載置し、位置７１に位置するプラテン３Ａである。第一メイン処理と同じ処理には、同一の符号を付し、説明を省略する。
【０１０３】
ＣＰＵ１１は、第一メイン処理と同様に、Ｓ１〜Ｓ１１の処理を行う。ＣＰＵ１１は、Ｓ１〜Ｓ１１の処理を行った後、第一メイン処理と同様に、Ｓ１５及びＳ１７の処理を行う。ＣＰＵ１１は、Ｓ１５及びＳ１７の処理を行った後、駆動回路３６を制御し、第一リフト５６を第一所定高さに上昇させる（Ｓ１８）。この時、第一アーム２３１の第一チャック２３２Ａは、プラテン３Ｃを挟持し、図１に示す位置７２に位置している。ＣＰＵ１１は、Ｓ１８の処理を行った後、第一メイン処理と同様に、Ｓ２１〜Ｓ５３の処理を行う。
【０１０４】
ＣＰＵ１１は、Ｓ５３の処理でＹＥＳの場合、駆動回路３６を制御し、第一リフト５６を降下させる（Ｓ５４）。この時、第一アーム２３１の第二チャック２３２Ｂは、プラテン３Ｃを挟持し、図１に示す図７４に位置している。ＣＰＵ１１は、Ｓ５４の処理を行った後、第一メイン処理と同様に、Ｓ５７の処理を行う。ＣＰＵ１１は、Ｓ５７の処理を行った後、第一メイン処理と同様に、Ｓ６１〜Ｓ７７の処理を行う。
【０１０５】
ＣＰＵ１１は、Ｓ６１〜Ｓ７７の処理を行った後、第二リフト５７を第二所定高さに上昇させる（Ｓ７８）。この時、第二アーム２３３の第一チャック２３４Ａは、図１に示す位置７５に位置している。ＣＰＵ１１は、Ｓ７８の処理を行って後、第一メイン処理と同様に、Ｓ８１〜Ｓ１１３の処理を行う。
【０１０６】
ＣＰＵ１１は、Ｓ１１３の処理でＹＥＳの場合、駆動回路３７を制御し、第二リフト５７を降下させる（Ｓ１１４）。この時、第二アーム２３３の第二チャック２３４Ｂは、プラテン３Ｃを挟持し、図１に示す位置７１に位置している。ＣＰＵ１１は、Ｓ１１４の処理を行った後、第一メイン処理と同様に、Ｓ１１７の処理を行う。ＣＰＵ１１は、Ｓ１１７の処理を行った後、第一メイン処理と同様に、Ｓ１２１の処理を行う。ＣＰＵ１１は、Ｓ１の処理に戻る。
【０１０７】
＜第二実施形態の主な作用及び効果＞
上記第二実施形態によれば、上記第一実施形態と同様の効果を奏する。
【０１０８】
＜変形例＞
上記実施形態に限らず各種変形が可能なことはいうまでもない。第一メイン処理及び第二メイン処理のステップは、矛盾が無い範囲で組み替えても良い。下地用のインクは、白色インク以外のインクであっても良い。例えば、下地用のインクは、抜染剤等の機能インクであっても良い。下地用のインクが抜染剤の場合、カラーインクは白インクを含んでも良い。各チャックの開閉方向は、上下方向でなくても良く、例えば、水平方向であっても良い。矢印３Ｅは、プラテン３の上面の任意の位置に設けられても良い。プラテン３は、首回り支持部３Ｄ、矢印３Ｅ、及び目印３Ｆの内の複数を備えても良い。目印３Ｆの形状は任意である。第一プラテン移動部２３Ａ及び第二プラテン移動部２３Ｂの少なくとも一方は、プラテン３Ｃを一つのみ載置可能であっても良い。
【０１０９】
印刷部２１は、レーザプリンタであっても良い。この場合、貯留部２６は、各色のトナーを貯留する複数のタンクを収納する。貯留部２６は、印刷部２１又は別処理部１５に供給される機能インクを貯留しても良い。印刷部２１に供給される機能インクは、一例として、シャツ４の色を脱色する抜染剤である。別処理部１５に供給される機能インクは、一例として、前処理剤である。
【０１１０】
ＣＰＵ１１、支持部２３１Ｂを中心にして第一アーム２３１を水平方向に後方へ回転させることにより、第一プラテン支持部２７Ａから受け取ったプラテン３Ｃを第二プラテン支持部２７Ｂに受け渡しても良い。この時、第一アーム２３１の回転の最中に、ＣＰＵ１１は、第一プラテン支持部２７Ａから受け取ったプラテン３Ｃを水平方向に１８０°回転させる。この場合、支持部２３１Ｂは、第一アーム２３１を回転可能に支持する。同様に、ＣＰＵ１１は、支持部２３３Ｂを中心にして第二アーム２３３を水平方向に前方へ回転させることにより、第二プラテン支持部２７Ｂから受け取ったプラテン３Ｃを第一プラテン支持部２７Ａに受け渡しても良い。この時、第二アーム２３３の回転の最中に、ＣＰＵ１１は、第二プラテン支持部２７Ｂから受け取ったプラテン３Ｃを水平方向に１８０°回転させる。この場合、支持部２３３Ｂは、第二アーム２３３を回転可能に支持する。
【０１１１】
第一吐出部５１は、カラーインクの液滴を吐出しても良い。この場合、第二吐出部５２は、下地用の白色インクを吐出すれば良い。
【０１１２】
上記第一実施形態及び第二実施形態において、第一プラテン移動部２３Ａ及び第二プラテン移動部２３Ｂの少なくとも一方は、第一方向に水平且つ直交する方向（左右方向）にスライドし、且つ第一方向にスライドしてプラテン３を移動させても良い。例えば、第一搬送路２２及び第二搬送路２４が短い場合、第一プラテン支持部２７Ａ及び第二プラテン支持部２７Ｂは第一プラテン移動部２３Ａ又は第二プラテン移動部２３Ｂの経路上に到達するのが困難である。故に、印刷装置１は、プラテン３を移動することが困難である。この場合、印刷装置１は、第一プラテン移動部２３Ａ及び第二プラテン移動部２３Ｂが第一方向にスライドすることで、プラテン３を移動できる。
【０１１３】
図１１（Ａ）を参照し、印刷装置１の変形例である印刷装置１Ａを説明する。印刷装置１Ａは、シャツ４に対し印刷部２１による印刷処理を行った後、別処理部１５による別処理を行う。印刷装置１Ａは、別処理部１５による別処理の後、シャツ４に対し印刷処理を行う別の印刷部２１を備えていても良い。図１１（Ｂ）を参照し、印刷装置１の変形例である印刷装置１Ｂを説明する。印刷装置１Ｂは、一つの印刷部２１を、第一別処理部１５Ａ及び第二別処理部１５Ｂにより共有する構成である。この場合、第一別処理部１５Ａ及び第二別処理部１５Ｂによる別処理が印刷部２１による印刷処理より時間が長くかかる場合に、印刷装置１Ｂの生産性が向上する。また、印刷装置１Ｂは、シャツ４に対し第一別処理部１５Ａによる第一別処理、印刷部２１による印刷処理、及び第二別処理部１５Ｂによる第二別処理の順に処理を行っても良い。印刷装置１Ｂは、別処理部１５を三以上備えていても良い。
【０１１４】
図１２（Ａ）を参照し、印刷装置１の変形例である印刷装置１Ｃを説明する。印刷装置１Ｃは、シャツ４に対し印刷部２１による印刷処理、第一別処理部１５Ａによる第一別処理、及び第二別処理部１５Ｂによる第二別処理の順に処理を行う。印刷装置１Ｃは、別処理部１５を三以上備えていても良い。図１２（Ｂ）を参照し、印刷装置１の変形例である印刷装置１Ｄを説明する。印刷装置１Ｄは、シャツ４に対し、第一印刷部２１Ａによる第一印刷処理、第二印刷部による第二印刷処理、別処理部１５による別処理の順に処理を行う。印刷装置１Ｄは、別処理部１５による別処理の後に、シャツ４に対し別処理を行う別の別処理部１５を一以上更に備えていて良い。
【０１１５】
第一メイン処理及び第二メイン処理等を実行する為のプログラム等は、インターネット上のサーバ装置が有するディスク装置等に記憶し、印刷装置１は各種のプログラムをダウンロード等しても良い。
【０１１６】
実施形態または変形例に応じて、印刷装置１は、ＲＯＭ、ＲＡＭ以外の他の種類の記憶装置を利用しても良い。例えば、印刷装置１は、ＣＡＭ(Content Addressable Memory)、ＳＲＡＭ(Static Random Access Memory)、ＳＤＲＡＭ(Synchronous Dynamic Random Access Memory)等の記憶装置を有しても良い。
【０１１７】
実施形態または変形例に応じて、印刷装置１の電気的構成は図３と異なっていても良く、図３に例示した規格・種類以外のその他のハードウェアが印刷装置１に適用できる。
【０１１８】
例えば、図３に示す印刷装置１の制御部は、ハードウェア回路で実現しても良い。一例として、ＣＰＵ１１の代わりに、ＦＰＧＡ(Field Programmable Gate Array)等のリコンフィギュラブル回路、又はＡＳＩＣ(Application Specific Integrated Circuit)等で、制御部は実現しても良い。ＣＰＵ１１とハードウェア回路の双方で、制御部は実現しても良い。
【０１１９】
＜その他＞
印刷装置１，１Ａ〜１Ｄは、本発明の「プラテン搬送装置」の一例である。ＣＰＵ１１は、本発明の「制御部」の一例である。首回り支持部３Ｄ、矢印３Ｅ、又は目印３Ｆは、本発明の「首回り案内部」の一例である。前後方向（搬送方向）は、本発明の「第一方向」の一例である。前側は、本発明の「第一方向の一方側」の一例である。別処理部１５及び印刷部２１は、本発明の「第一処理部」の一例である。別処理部１５及び印刷部２１は、本発明の「第二処理部」の一例である。首回り支持部３Ｄ、矢印３Ｅ、及び目印３Ｆの少なくとも一つは、本発明の「首回り案内部」の一例である。第一プラテン支持部２７Ａ及び第二プラテン支持部２７Ｂは、本発明の「第一プラテン支持部」の一例である。第一プラテン支持部２７Ａ及び第二プラテン支持部２７Ｂは、本発明の「第二プラテン支持部」の一例である。第一プラテン移動部２３Ａ及び第二プラテン移動部２３Ｂは、本発明の「プラテン移動部」の一例である。第一プラテン移動部２３Ａ及び第二プラテン移動部２３Ｂは、本発明の「第一プラテン移動部」の一例である。第一プラテン移動部２３Ａ及び第二プラテン移動部２３Ｂは、本発明の「第二プラテン移動部」の一例である。第一プラテン移動部２３Ａ及び第二プラテン移動部２３Ｂは、本発明の「プラテン移動装置」の一例である。第一搬送路２２及び第二搬送路２４は、本発明の「第一搬送路」の一例である。第一搬送路２２及び第二搬送路２４は、本発明の「第二搬送路」の一例である。インク、又はトナーは、本発明の「記録材料」の一例である。白色インク、及び抜染剤等の機能インクは、本発明の「下地インク」の一例である。第一アーム２３１及び第二アーム２３３は、本発明の「受け渡し部」の一例である。第一プラテン移動部２３Ａ、又は第二プラテン移動部２３Ｂは、本発明の「プラテン移動装置」の一例である。
【符号の説明】
【０１２０】
１        印刷装置
３        プラテン
３Ｄ      首回り支持部
３Ｅ      矢印
３Ｆ      目印
４        シャツ
４Ａ      首回り
１１      ＣＰＵ
１５      別処理部
１６      操作部
２１      印刷部
２２      第一搬送路
２４      第二搬送路
２３Ａ    第一プラテン移動部
２３Ｂ    第二プラテン移動部
２６      貯留部
２７Ａ    第一プラテン支持部
２７Ｂ    第二プラテン支持部
５１      第一吐出部
５２      第二吐出部
２３１    第一アーム
２３３    第二アーム
２３１Ｂ  支持部
２３３Ｂ  支持部
【図１】
2019178008.tif 000003
【図２】
2019178008.tif 000004
【図３】
2019178008.tif 000005
【図４】
2019178008.tif 000006
【図５】
2019178008.tif 000007
【図６】
2019178008.tif 000008
【図７】
2019178008.tif 000009
【図８】
2019178008.tif 000010
【図９】
2019178008.tif 000011
【図１０】
2019178008.tif 000012
【図１１】
2019178008.tif 000013
【図１２】
2019178008.tif 000014